(57)【特許請求の範囲】
【請求項１】
投入された米の糠層を除去する精米手段とこの精米手段による糠層の除去程度を当該精米手段の排出口に設けた圧力板の圧迫位置を変更し精米負荷を大小に変更設定する精白度設定手段とを備え、上記精白度設定手段は精米を終了すると所定の圧迫位置から前記排出口を開放状態とする位置に圧力板を変更制御すべく構成してある精米装置において、
投入ホッパ２３と、投入ホッパ２３に投入された米から異物の選別を行う多孔板の選別円筒２２と、該選別円筒２２で異物除去された米を取り出す排出漏斗２４と、排出漏斗２４で取り出された米を精白部に投入するホッパ４１と、精白ロール軸２１で回転駆動する精米ロール４２と、精米ロール４２の周囲を覆う精米金網４３と、精米ロール４２と精白金網４３とにより除去された糠を排出する糠ホッパ５１と、精米処理した米を排出する排出口に圧力板６１とを設け、
選別円筒２２を精米ロール軸２１に一体的に設け、排出漏斗２４を選別円筒２２の下方に設け、選別円筒２２で除去された所定大きさを越える形状の異物を糠ホッパ５１に排出すべくシュート２８を選別円筒２２の排出側と糠ホッパ５１とを接続する構成としたことを特徴とする精米装置。
【発明の詳細な説明】
【０００１】
【発明の属する技術分野】
本発明は、投入した米を自動精米する精米装置に関し、特に、米表面の糠層の除去程度を設定する精白度設定手段を備えた精米装置に関するもので、コイン投入式の無人精米装装置等に利用しうる。
【０００２】
【従来の技術】
投入された米の糠層の除去程度を表わすのに「精白度」が用いられ、除去程度が大きくなるにつれて例えば「八分」、「標準」、「上白」と表わされる。この精白度は精米手段の排出口に設けた圧迫板の圧力設定により調節されているが、精白度は米の性状や搗精機の使用状態により変化する相対的なものであるため、管理者が前記米の性状や搗精機の使用状態により基準となる圧迫板の初期位置を決定しておく必要がある。
【０００３】
従来、搗精機の圧迫板の初期位置は、例えば「上白」位置に設定され、この「上白」位置よりも所定距離移動またはこれを連動する軸を回転して、圧迫圧力が弱い側を「標準」、さらに「標準」位置よりも所定距離移動または回転して、圧迫圧力が弱い側を「八分」とし、客がコイン精米機を利用して「標準」の精白度を選択した場合、圧迫板は初期「上白」位置から例えば１．５回転圧迫圧力が弱い側へ移動させて精米を行なう構成であった。
【０００４】
【０００５】
【０００６】
【発明が解決しようとする課題】
本発明の目的は、米から異物を除去する精米装置を提供する。
【０００７】
【課題を解決するための手段】
上記課題を解決するために、請求項１に係る発明は、投入された米の糠層を除去する精米手段とこの精米手段による糠層の除去程度を当該精米手段の排出口に設けた圧力板の圧迫位置を変更し精米負荷を大小に変更設定する精白度設定手段とを備え、上記精白度設定手段は精米を終了すると所定の圧迫位置から前記排出口を開放状態とする位置に圧力板を変更制御すべく構成してある精米装置において、投入ホッパ２３と、投入ホッパ２３に投入された米から異物の選別を行う多孔板の選別円筒２２と、該選別円筒２２で異物除去された米を取り出す排出漏斗２４と、排出漏斗２４で取り出された米を精白部に投入するホッパ４１と、精白ロール軸２１で回転駆動する精米ロール４２と、精米ロール４２の周囲を覆う精米金網４３と、精米ロール４２と精白金網４３とにより除去された糠を排出する糠ホッパ５１と、精米処理した米を排出する排出口に圧力板６１とを設け、選別円筒２２を精米ロール軸２１に一体的に設け、排出漏斗２４を選別円筒２２の下方に設け、選別円筒２２で除去された所定大きさを越える形状の異物を糠ホッパ５１に排出すべくシュート２８を選別円筒２２の排出側と糠ホッパ５１とを接続する構成としたことを特徴とする精米装置の構成とする。
【０００８】
米は精米機１４の投入ホッパ２３に送られ、選別円筒３０により更に所定大きさを越え精米金網４３を傷める異物が選別されて、シュート２８を介して糠ホッパ５１に排出される。
【０００９】
【００１０】
【発明の効果】
従って、選別円筒２２を精米ロール軸２１と一体にすることで動力源の不要なコンパクトな異物除去装置を備えた精米装置ができる。
【００１１】
【発明の実施の形態】
上記技術思想に基づき具体的に構成された実施の形態について以下に図面を参照しつつ本発明のコイン投入式無人精米機（以下、コイン精米機）について説明する。
【００１２】
本発明のコイン精米機の正面部の外観構成図を図１に、その内部構成平面図を図２に、精米機断面図を図３に、搗精処理する精白部の圧力板の構成を図４に、図５に圧力板設定ツマミの作用図を示す。図１および図２において、コイン精米機１は、投入ホッパ３と払出部５および操作パネル７を正面に配置した自動処理ユニット２を構成し、自動処理ユニット２により建屋１０を客室１０ａと機械室１０ｂに分離する。操作パネル７には、コイン投入口７ａ、投入コイン表示部７ｂ、精白度設定スイッチ７ｃ、起動スイッチ７ｄその他精米処理に必要なスイッチ類を配置する。
【００１３】
コイン精米機１の内部は、投入された米が籾か玄米かを判別する判別センサ４を備える投入ホッパ３、投入された米を客室１０ａ側へ還元するか又は籾摺機８へ搬送するかを切り換える方向切換部１１、投入された米が籾の場合、籾摺選別する籾摺機８、摺られた玄米を搗精する精米機１４、精米された米を貯蔵する白米タンク１５等から構成されている。また、籾摺機８の下流には石抜機３１ａと藁屑他の大きな夾雑異物の除去を行う異物選別部３１ｂが備えられ、これらを経由した米は昇降機１３を経て、精米機１４に搬送される構成である。
【００１４】
つぎに、精米機１４について説明する。精米機１４は前記石抜機及び異物選別部３１ａ，３１ｂから搬送された米が投入される投入部２０と、投入された米を前記異物選別部３１ｂより更に選別を行う異物除去部３０と、異物除去された米を取り出し、再度精米機の精白部に投入する再投入・精白部４０と、精白部４０から糠を排出する糠処理部５０と、精米処理した米を排出する排出部６０と、から構成されている。
【００１５】
投入部２０は精米機１４の前方に設けられ、精米ロール軸２１に一体的に設けられた多孔板の選別円筒２２（または多角形筒でもよい）と、選別円筒２２に接続するホッパ２３とから構成され、ホッパ２３に投入された米が選別円筒内２２に送られ、所定大きさを越える形状の異物が投入された米から除去され、精選された米のみが、選別円筒２２下方に設けた排出漏斗２４から排出され、異物は選別円筒２２後方から後述する糠処理部５０に接続されてたシュート２８から排出される構成である。
【００１６】
前記排出漏斗２４から排出された米は図示しない昇降装置等を介して、再投入・搗精部４０に送られる。再投入・搗精部４０はホッパ４１と精米ロール４２および精米ロール４２の周囲を覆う精米金網４３から構成され、精米ロール４２はホッパ４１の下方にて投入された米を排出側へ搬送する搬送ロール４２ａと搬送ロール４２ａに引き継いで精白処理する精白ロール４２ｂからなり、精白ロール４２ｂと精米金網４３とにより除去された糠は糠処理部５０により吸引排出される。
【００１７】
糠処理部５０は糠ホッパ５１とこれに接続した糠搬送ファン５２´、糠搬送ファン５２´に接続する図示しないサイクロンおよびサイクロンに接続する糠袋５３から構成される。糠ホッパ５１の前方には開口部５２が形成され、この開口部５２には前記シュート２８が接続されており、シュート２８終端部にはマグネット２９が設けられた多孔板２７が設けられている。
【００１８】
この多孔板２７およびマグネット２９はシュート２８から排出される異物中から金属を捕捉し、糠を糠袋５３へ搬送するためにある。排出部６０は精米機１４の終端部に設けられ、前記精白度を決める圧力板６１と、該圧力板６１の排出口６２からの距離をスプリング６３と該スプリング６３により押圧された精白アーム６４を介して決定する位置設定ツマミ６５、この位置設定ツマミ６５の位置を駆動ネジ６６を介して調節する白度調節モータ６７からなり、駆動ネジ６６には回転数を検出するカウンタ６８ａ，６８ｂが設けられ、位置設定ツマミ６５には圧力板６１の開放位置を検出するためのピン６９が設けられ、駆動ネジ６６上部には該ピン６９と接することにより圧迫板６１の開放信号を出力するセンサ７０が設けられている。
【００１９】
駆動ネジ６６に螺合した位置設定ツマミ６５の位置は以下の手順で設定される。
（一）位置設定ツマミ６５を所定回数回転し、任意の位置にセットする。手動による「上白」位置の微調整となる。
（二）起動ボタン７ｄを押すとカウンタ６８ａ，６８ｂが「０」にセットされ、このときのスプリング６３力が「上白」用圧力板の作用する圧力となる。上記「０」値は、軸の回転数に比例する換算値の基数となる
（三）客が「精白度」を変更した場合、例えば「標準」に設定した場合は、白度調節モータ６７が逆転し圧力を緩くする側に１．５回転する。このときの回転数換算値は例えば「１」に設定されている。
（四）精米作業が終了すると、圧迫板６１位置を開放状態にするため、白度調節モータ６７が圧力を緩くする側にさらに逆回転する。
（五）位置設定ツマミ６５のピン６９がセンサ７０に触れ、この時のカウンタ値が、例えば換算値「７」として記憶される。
（六）排出動作を開始し、排出動作が終了すると、白度調節モータ６７が晴天駆動して駆動ネジ６６を回転し、位置設定ツマミ６５を初期設定位置側へ移動させる。
（七）前記換算値が減算され、この値が「０」になると停止する。即ちこの停止位置が位置設定ツマミ６５の初期設定位置になる。
【００２０】
また、排出口６２下方には第一樋７１と、該第一樋７１の下方に所定距離間隔を開けた第二樋７２が設けられ、第二樋７２下方は白米タンク１５に接続されている。前記第一樋７１と第二樋７２間の間隙７３は精米された白米が第二樋７２に落下する間に、表面に付着している糠を除去するためのもので、該間隙７３は連通管７４を介して、糠ホッパ５１に接続されており、該間隙７３には略垂直に立設した多孔板７５が設けられている。
【００２１】
この多孔板７５は略垂直に立設することにより白米が糠搬送ファン５２により吸引されても重力により落下し、多孔板７５に白米が吸い寄せられて目詰まりしないようにするためのものである。建屋１０壁面上方には換気窓８０が設けられ、該換気窓８０には機械室内の圧力または換気空気を検出するためのセンサ８１が設けられている。このセンサ８１は圧力の変動を薄膜を介して検出しこれを出力するダイヤフラム式のセンサでも、あるいは、風圧を検出するアクチュエータによりスイッチを入・切する方式等いずれの方式であってもよく、このセンサ８１が作動すると操作パネル７に設けた警報装置８２により換気窓の清掃を促す構成である。
【００２２】
これにより、換気窓８０に埃等が堆積することによる籾摺機１２や糠搬送ファン５２の吸引作用に基づく選別や除去作用の低下を防止する。つぎに、前記構成のコイン精米機１の作用について説明する。コイン精米機１の管理者は精米機１の位置設定ツマミ６５を調節し、精米する米に最適となる基準の「上白」位置を設定する。客は投入ホッパ３に米を入れ、操作パネル７のコイン投入口７ａから必要料金を投入し、精白度設定スイッチ７ｃにより好みの「標準」設定を行い、起動スイッチ７ｄを押す。
【００２３】
すると精米機１４は現在の位置設定ツマミ６５の位置を「上白」位置としてカウンタ６８を「0」にセットし、続いて客が設定した「標準」位置まで位置設定ツマミ６５が白度調節モータ６７により、駆動ネジ６６を介して駆動され、圧力板６１の圧力が「上白」よりも弱い側に移動し停止する。この後、判別センサ４により投入された米が籾か玄米かが判別され、投入された米が籾の場合、籾摺選別する籾摺機１２へ送られる。このとき、客が排出を希望し、投入ホッパ近傍に設けた返却ボタン９を押すと方向切換弁１１が開き客室１０ａへ投入した米が還元される。
【００２４】
籾摺機８に搬送された米は籾摺され、次に搬送装置を介して選別部３１ａ，３１ｂへ送られ、石、異物が除去される。石、異物が除去された米は精米機１４の投入部２０に送られ、選別円筒３０により更に径が6mmを越え、精米金網４３を傷める異物が選別されて、シュート２８を介して多孔板２７に送られ、次に多孔板２７により糠と異物とに分離され、異物中の金属はマグネット２９により捕捉されて異物は機外へ排出される。
【００２５】
このように、異物除去部３０を従来の精米機では利用されていない空間に設けることにより、動力源の不要なコンパクトな異物除去装置ができ、精米機１４は分解が容易なように構成されているため、選別円筒２２、シュート２８等の着脱、点検が容易に行える。
【００２６】
投入された米が玄米と判別された場合は、籾摺機８の籾摺ロール（図示省略）が自動的に最大開度に設定され、籾摺作用を受けることなく玄米は選別部３１ａ，３１ｂに搬送され、前記同様に投入部２０に送られる。投入部２０にて選別された整米は再投入・搗精部４０に送られ、精米ロール４２ｂ、精米金網４３とにより糠が除去され精米される。除去された糠は精米金網４３を透過し糠搬送ファン５２によりサイクロンを介して糠袋５３へ搬送される。このとき多孔板２７により分離された糠と共に搬送され、精米された白米は排出口６２から排出され、間隙７３の間の吸引作用により糠が除去されて白米タンク１５に排出、貯蔵される。
【００２７】
投入された米が無くなったことを判別センサ４が検出したり、あるいは投入したコインが無くなり、所定時間以上経過して再投入が無い場合は残留米の排出動作に入り、白度調節モータ６７により圧迫板６１が開放状態の位置、即ち位置設定ツマミ６５のピン６９がセンサ７０に接触する位置まで移動され、所定時間空運転される。
【００２８】
この時間が経過すると、白度調節モータ６７は圧迫板６１を開放状態から初期設定位置に戻す。この戻り位置は、カウンタ３１ａ，３１ｂのカウンタ値が「０」となるまで戻ることにより行われる。このように位置設定ツマミ６５のセット位置を常に「精白度」の基準となる「上白」位置に設定し、これを精米機１４に設けたカウンタ３１ａ，３１ｂの検出に基づいて動作すべく構成したため、前記米の性状や精米機の使用状態が変わっても基準となる「上白」位置を容易に設定することができ、さらに、設定が前回と異なっても異なった基準値を記憶させる必要のない精米機となる。
【図面の簡単な説明】
【図１】 本発明のコイン精米機の正面部の外観構成図
【図２】 本発明のコイン精米機の内部構成平面図
【図３】 精米機断面図
【図４】 精白部の圧力板構成図
【図５】 位置設定ツマミの従来の作用説明図と本発明の作用説明図
【符号の説明】
１ コイン精米機
３ 投入ホッパ
４ 判別センサ
５ 払出部
７ 操作パネル
７ａ コイン投入部
７ｂ 投入コイン表示部
７ｃ 精白度設定スイッチ
７ｄ 起動スイッチ
１１ 方向切換部
１４ 精米機
１５ 白米タンク
６１ 圧力板
６２ 排出口
６３ スプリング
６４ 精白アーム
６５ 位置設定ツマミ
６７ 白度調節モータ
【図１】
0003988527.tif 000002
【図２】
0003988527.tif 000003
【図３】
0003988527.tif 000004
【図４】
0003988527.tif 000005
【図５】
0003988527.tif 000006